(57)【要約】【課題】  本発明は、油入りケーブル線路が漏油していることを検出してから、油入りケーブル線路を遮断するまでの間に、この線路遮断に伴う作業、若しくは、この線路遮断を回避するための作業を行えるかについての判断をすることができる油入りケーブル線路監視システムを提供することを課題とする。【解決手段】  油入りケーブル線路から漏油している可能性のある絶縁油の下限１段レベルを直接又は間接的に検出するための下限１段検出接点、該下限１段検出接点及び油入りケーブル線路に必要な絶縁油の最低レベルとの略中間の絶縁油レベルを直接又は間接的に検出するための下限２段検出接点、最低レベルを直接又は間接的に検出するための最低レベル検出接点を有するレベル検出装置５と、該レベル検出装置５からの検知信号を受信する信号受信部６１、遮断器Ａ、Ｂを開放すべく、遮断信号を発信する遮断判定部６２、警報を表示する状態表示部６５を有する監視装置とを備え、絶縁油のレベルが最低レベルに至るまでの時間を報知する。【選択図】  図５
2010279094.tif 000002
【特許請求の範囲】
【請求項１】
絶縁油を充填する油入りケーブルを用いた油入りケーブル線路に対し、該油入りケーブル線路へ給油し、若しくは、油入りケーブル線路から返油される絶縁油の少なくとも油量及び油圧のいずれかの絶縁油レベルを直接又は間接的に検出して検出信号を発信するためのレベル検出装置と、該レベル検出装置から発信される検出信号を受信し、報知する監視装置とを備える油入りケーブル線路監視システムにおいて、
前記レベル検出装置は、油入りケーブル線路から漏油している可能性のある絶縁油レベルである下限１段レベルを直接又は間接的に検出するための下限１段検出接点と、該下限１段レベル及び油入りケーブル線路に必要な絶縁油レベルである最低レベル間の特定レベルを直接又は間接的に検出するための少なくとも１点の特定レベル検出接点とを備え、前記監視装置は、これらの接点がオン・オフ切り替わることにより発信される検出信号を受信することによって、下限１段検出接点がオン・オフ切り替わることにより発信される検出信号を受信してから特定レベル検出接点がオン・オフ切り替わることにより発信される検出信号を受信するまでの時間差と、下限１段レベルと特定レベルとの絶縁油レベル差に基づいて導き出される絶縁油レベルが最低レベルに至るまでの時間を認識可能なように報知することを特徴とする油入りケーブル線路監視システム。
【請求項２】
前記特定レベル検出接点は、前記下限１段レベルと前記最低レベルとの略中間の絶縁油レベルを直接又は間接的に検出するための下限２段検出接点である請求項１に記載の油入りケーブル線路監視システム。
【請求項３】
前記最低レベルを直接又は間接的に検出するための最低レベル検出接点を備え、前記監視装置は、この最低レベル検出接点がオン・オフ切り替わることにより発信される最低レベル検出信号を受信することによって、絶縁油レベルが最低レベルに至ったことを報知可能な請求項１又は２に記載の油入りケーブル線路監視システム。
【請求項４】
前記監視装置は、少なくとも最低レベル検出信号を受信することで、送電線路を開閉操作させるための制御信号を発信する請求項１〜３の少なくとも一項に記載の油入りケーブル線路監視システム。
【請求項５】
レベル検出装置の接点が直接又は間接的にオン・オフ切り替わる絶縁油レベルは、絶縁油を貯蔵する油槽に貯蔵された絶縁油レベルである請求項１〜４の少なくとも一項に記載の油入りケーブル線路監視システム。
【請求項６】
レベル検出装置の一部の接点が直接又は間接的にオン・オフ切り替わる絶縁油レベルは、絶縁油を貯蔵する油槽に貯蔵された絶縁油レベルであり、また、レベル検出装置の一部の接点が直接又は間接的にオン・オフ切り替わる絶縁油レベルより低い絶縁油レベルを直接又は間接的に検出する残りの接点が直接又は間接的にオン・オフ切り替わる絶縁油レベルは、油槽と油入りケーブル線路との間を接続し、油入りケーブルに絶縁油を充填する給油管の内部を流通する絶縁油レベルである請求項１〜４の少なくとも一項に記載の油入りケーブル線路監視システム。
【請求項７】
前記レベル検出装置の接点は、前記油槽に貯蔵され、油槽に残っている絶縁油レベルと連動して、変動する外油の油面レベルを検出することにより、絶縁油レベルを間接的に検出可能な請求項１〜６の少なくとも一項に記載の油入りケーブル線路監視システム。
【請求項８】
前記レベル検出装置の接点は、前記油槽に封入され、油槽に残っている絶縁油レベルと連動して、変動するガスの圧力レベルを検出することにより、絶縁油レベルを間接的に検出可能な請求項１〜６の少なくとも一項に記載の油入りケーブル線路監視システム。
【請求項９】
前記油槽は、絶縁油を貯蔵する蛇腹状のベローズを備え、前記レベル検出装置の接点は、油槽に残っている絶縁油レベルと連動して、変動するベローズの伸縮量を検出することにより、絶縁油レベルを間接的に検出可能な請求項１〜６の少なくとも一項に記載の油入りケーブル線路監視システム。
【請求項１０】
前記油槽は、ガスを吸排気するガス圧源を備え、前記レベル検出装置の接点は、油槽に残っている絶縁油レベルと連動して、変動するガスの吸排気量を検出することにより、絶縁油レベルを間接的に検出可能な請求項１〜６の少なくとも一項に記載の油入りケーブル線路監視システム。
【発明の詳細な説明】
【技術分野】
【０００１】
本発明は、油入りケーブル線路から絶縁油が漏油していることを検出するための油入りケーブル線路監視システムに関する。
【背景技術】
【０００２】
従来から、発電所、変電所、及び、配電所などの電気所を経由して、需要家に送電される送電線路のうち、地中に埋設される送電線路に用いる電力ケーブルとしては、ＯＦケーブルなどの油入りケーブルが使用されてきた。この油入りケーブルは、ケーブルの内部に絶縁油を充填させる油通路を備え、低粘度の絶縁油を常時大気圧以上で充填することで長期間にわたる優れた絶縁性能を維持しえるようにしたもので、主に、高電圧・大容量の送電ケーブルとして汎用されている。しかし、最近では、ＣＶケーブルの絶縁性能が向上しており、油入りケーブルの新設は、限られた用途に限定されるようになったが、既設の油入りケーブルは、長期間にわたる優れた絶縁性能から、現在でも多く使い続けられている。
【０００３】
この油入りケーブルについて、具体的に例示すると、図１に示すように、１本の導体の内部に絶縁油を充填する単心ＯＦケーブル２００（図１（ａ）参照）、３本の導体の内部に絶縁油を充填する３心ＯＦケーブル２１０（図１（ｂ）参照）、及び、鋼管に導体を挿通させて、鋼管の内部に絶縁油を充填するパイプタイプＯＦケーブル２２０（図１（ｃ）参照）、がある。
【０００４】
これら油入りケーブルを用いた油入りケーブル線路は、絶縁油を給油し、又は、流れる負荷電流や周囲の温度変化による絶縁油の膨張・収縮を補償するための給油装置を備える。この給油装置は、主に、絶縁油を貯蔵するための油槽と、油入りケーブル線路と該油槽との間を接続し、油入りケーブルに絶縁油を充填するための給油管と、油入りケーブル線路へ給油し、若しくは、油入りケーブル線路から返油される絶縁油の少なくとも油量及び油圧のいずれかの絶縁油レベルを直接又は間接的に検出するためのレベル検出装置と、該レベル検出装置から発信される検出信号を受信し、報知する監視装置とを備える（特許文献１〜３参照）。
【０００５】
これにより、何らかの原因により油入りケーブルの被覆等が損傷し、この損傷箇所から絶縁油が漏油すると、前記レベル検出装置から検出信号が発信され、この検出信号を受信した電気所の監視員は、前記油槽に急行して、この油槽に他の油槽から絶縁油を補給する作業を行う。これにより、当分の間、油入りケーブル線路を遮断することなく、送電し続けることが可能となっていた。
【先行技術文献】
【特許文献】
【０００６】
【特許文献１】特開平１０−１２３００６号公報
【特許文献２】特開平１０−１３６５５１号公報
【特許文献３】特開２００１−７８３４９号公報
【発明の概要】
【発明が解決しようとする課題】
【０００７】
しかし、油入りケーブル線路から絶縁油が急激に漏油するような事態が生じたとき、前記レベル検出装置から検出信号を受信した電気所の監視員が前記油槽に到着できたとしても、補給作業が間に合わず、油入りケーブルが絶縁破壊してしまうことがある。このようなときに点検作業を行うと、この作業に起因して、短絡事故が発生し、火災などで油入りケーブル線路の損傷が拡大し、その後の復旧が遅れ、長期停電に至る可能性もある。
【０００８】
従って、このような事態を考慮し、油入りケーブルが絶縁破壊に至る前に油入りケーブル線路を遮断して停電させることで、油入りケーブルの絶縁破壊を防止することが可能である。
【０００９】
しかし、油入りケーブル線路が絶縁破壊する恐れがないにもかかわらず、油入りケーブル線路を遮断すると、需要家は、そのたびに油入りケーブル線路が遮断されることによる停電を受けることになり、電力供給の安定性に欠けることになる。
【００１０】
よって、本発明は、かかる事情に鑑み、油入りケーブル線路が漏油していることを検出してから、油入りケーブル線路を遮断するまでの間に、この線路遮断に伴う作業、若しくは、この線路遮断を回避するための作業を行えるかについての判断をすることができる油入りケーブル線路監視システムを提供することを課題とする。
【課題を解決するための手段】
【００１１】
本発明に係る油入りケーブル線路監視システムは、絶縁油を充填する油入りケーブルを用いた油入りケーブル線路に対し、該油入りケーブル線路へ給油し、若しくは、油入りケーブル線路から返油される絶縁油の少なくとも油量及び油圧のいずれかの絶縁油レベルを直接又は間接的に検出して検出信号を発信するためのレベル検出装置と、該レベル検出装置から発信される検出信号を受信し、報知する監視装置とを備える油入りケーブル線路監視システムにおいて、前記レベル検出装置は、油入りケーブル線路から漏油している可能性のある絶縁油レベルである下限１段レベルを直接又は間接的に検出するための下限１段検出接点と、該下限１段レベル及び油入りケーブル線路に必要な絶縁油レベルである最低レベル間の特定レベルを直接又は間接的に検出するための少なくとも１点の特定レベル検出接点とを備え、前記監視装置は、これらの接点がオン・オフ切り替わることにより発信される検出信号を受信することによって、下限１段検出接点がオン・オフ切り替わることにより発信される検出信号を受信してから特定レベル検出接点がオン・オフ切り替わることにより発信される検出信号を受信するまでの時間差と、下限１段レベルと特定レベルとの絶縁油レベル差に基づいて導き出される絶縁油レベルが最低レベルに至るまでの時間を認識可能なように報知することを特徴とする。
【００１２】
かかる構成によれば、油入りケーブル線路から絶縁油が漏油すると、前記監視装置は、前記レベル検出装置の下限１段検出接点がオン・オフ切り替わることにより発信される検出信号を受信して、この検出信号を受信したことを報知することにより、油入りケーブル線路から絶縁油が漏油している可能性があることを注意喚起することができる。
【００１３】
また、油入りケーブル線路から絶縁油がさらに漏油し続け、絶縁油レベルが特定レベルに至ることにより、前記監視装置は、前記レベル検出装置の特定レベル検出接点がオン・オフ切り替わることにより発信される検出信号を受信して、下限１段検出接点がオン・オフ切り替わることにより発信される検出信号を受信してからの時間差と、下限１段レベルと特定レベルとの絶縁油レベル差から、絶縁油レベルの低下速度を予測することができ、この低下速度から絶縁油レベルが最低レベルに至るまでの時間を認識させることができ、この油入りケーブル線路の線路遮断に伴う作業、若しくは、この線路遮断を回避するための作業にかかる時間と最低レベルに至るまでの時間とを比較して、いずれを行うべきかを判断することができる。
【００１４】
本発明に係る油入りケーブル線路監視システムの前記特定レベル検出接点は、前記下限１段レベルと前記最低レベルとの略中間の絶縁油レベルを直接又は間接的に検出するための下限２段検出接点であるようにしてもよい。
【００１５】
かかる構成によれば、油入りケーブル線路から絶縁油が漏油し続け、絶縁油レベルが下限１段レベルと最低レベルとの略中間の絶縁油レベルに至ることにより、前記監視装置は、前記レベル検出装置の下限２段検出接点がオン・オフ切り替わることにより発信される検出信号を受信して、下限１段検出接点がオン・オフ切り替わることにより発信される検出信号を受信してからの時間差を、絶縁油レベルが最低レベルに至るまでの時間と認識させることができ、この油入りケーブル線路の線路遮断に伴う作業、若しくは、この線路遮断を回避するための作業にかかる時間と最低レベルに至るまでの時間とを比較して、いずれを行うべきかの判断することができる。
【００１６】
本発明に係る油入りケーブル線路監視システムは、前記最低レベルを直接又は間接的に検出するための最低レベル検出接点を備え、前記監視装置は、この最低レベル検出接点がオン・オフ切り替わることにより発信される最低レベル検出信号を受信することによって、絶縁油レベルが最低レベルに至ったことを報知可能なことがようにしてもよい。
【００１７】
かかる構成によれば、油入りケーブル線路から絶縁油が漏油し続けて、絶縁油レベルが絶縁油の最低レベルに至ることにより、前記監視装置は、前記レベル検出装置の最低レベル検出接点がオン・オフ切り替わることにより発信される最低レベル検出信号を受信して、この最低レベル検出信号を受信したことを報知することにより、絶縁油レベルが最低レベルに至ったことを認識させることができ、この油入りケーブル線路の絶縁油レベルが最低レベルになったときに必要な対応を行うことができる。
【００１８】
本発明に係る油入りケーブル線路監視システムの前記監視装置は、少なくとも最低レベル検出信号を受信することで、送電線路を開閉操作させるための制御信号を発信するようにしてもよい。
【００１９】
かかる構成によれば、油入りケーブル線路から絶縁油が漏油し、又は、漏油し続けて、絶縁油レベルがそれぞれの接点がオン・オフ切り替わる絶縁油レベルに至ることにより、前記監視装置は、前記レベル検出装置の最低レベル検出信号を受信して、送電線路を開閉操作させるための制御信号を発信し、送電線路を遮断させたり、送電ルートを変更させたりすることができる。
【００２０】
本発明に係る油入りケーブル線路監視システムの、レベル検出装置の接点が直接又は間接的にオン・オフ切り替わる絶縁油レベルは、絶縁油を貯蔵する油槽に貯蔵された絶縁油レベルであるようにしてもよい。
【００２１】
かかる構成によれば、油入りケーブル線路から絶縁油が漏油し、又は、漏油し続けていることを、前記油槽の絶縁油レベルにより、検出することができ、油入りケーブル線路から漏油する絶縁油レベルに対応する油槽に貯蔵された絶縁油レベルに合わせて、レベル検出装置の接点を設定することができる。
【００２２】
本発明に係る油入りケーブル線路監視システムの、レベル検出装置の一部の接点が直接又は間接的にオン・オフ切り替わる絶縁油レベルは、絶縁油を貯蔵する油槽に貯蔵された絶縁油レベルであり、また、レベル検出装置の一部の接点が直接又は間接的にオン・オフ切り替わる絶縁油レベルより低い絶縁油レベルを直接又は間接的に検出する残りの接点が直接又は間接的にオン・オフ切り替わる絶縁油レベルは、油槽と油入りケーブル線路との間を接続し、油入りケーブルに絶縁油を充填する給油管の内部を流通する絶縁油レベルであるようにしてもよい。
【００２３】
かかる構成によれば、油入りケーブル線路から絶縁油が漏油し、又は、漏油し続けていることを、前記油槽及び前記給油管の絶縁油レベルにより、検出することができ、さらに、油入りケーブル線路に最も近い給油管の内部を流通する絶縁油レベルでオン・オフさせる検出接点を備えることにより、油槽のみで絶縁油レベルを直接又は間接的にオン・オフさせる検出接点を備えることにより、検出可能な絶縁油レベルの下限値を下げることができる。
【００２４】
本発明に係る油入りケーブル線路監視システムの前記レベル検出装置の接点は、前記油槽に貯蔵され、油槽に残っている絶縁油レベルと連動して、変動する外油の油面レベルを検出することにより、絶縁油レベルを間接的に検出可能なようにしてもよい。
【００２５】
かかる構成によれば、外油の油面レベルを検出することで、絶縁油レベルを間接的に検出することができる。
【００２６】
本発明に係る油入りケーブル線路監視システムの前記レベル検出装置の接点は、前記油槽に封入され、油槽に残っている絶縁油レベルと連動して、変動するガスの圧力レベルを検出することにより、絶縁油レベルを間接的に検出可能なようにしてもよい。
【００２７】
かかる構成によれば、ガスの圧力レベルを検出することで、絶縁油レベルを間接的に検出することができる。
【００２８】
本発明に係る油入りケーブル線路監視システムの前記油槽は、絶縁油を貯蔵する蛇腹状のベローズを備え、前記レベル検出装置の接点は、油槽に残っている絶縁油レベルと連動して、変動するベローズの伸縮量を検出することにより、絶縁油レベルを間接的に検出可能なようにしてもよい。
【００２９】
かかる構成によれば、ベローズの伸縮量を検出することで、絶縁油レベルを間接的に検出することができる。
【００３０】
本発明に係る油入りケーブル線路監視システムの前記油槽は、ガスを吸排気するガス圧源を備え、前記レベル検出装置の接点は、油槽に残っている絶縁油レベルと連動して、変動するガスの吸排気量を検出することにより、絶縁油レベルを間接的に検出可能なようにしてもよい。
【００３１】
かかる構成によれば、ガスの吸排気量を検出することで、絶縁油レベルを間接的に検出することができる。
【発明の効果】
【００３２】
以上の如く、本発明に係る油入りケーブル線路監視システムによれば、油入りケーブル線路が漏油していることを検出してから、油入りケーブル線路を遮断するまでの間に、この線路遮断に伴う作業、若しくは、この線路遮断を回避するための作業を行えるかについての判断をすることができるという優れた効果を奏する。
【図面の簡単な説明】
【００３３】
【図１】油入りケーブルの一実施形態であるＯＦケーブルの断面図であり、（ａ）は、単心ＯＦケーブル、（ｂ）は、３心ＯＦケーブル、及び、（ｃ）は、パイプタイプＯＦケーブル、を示す。
【図２】ＯＦケーブル線路の概略構成図であり、（ａ）は、重力型の油槽を用いた場合のＯＦケーブル線路、及び、（ｂ）は、圧力型の油槽を用いた場合のＯＦケーブル線路、を示す。
【図３】ＯＦケーブル線路で用いられる各種の油槽の概略構成図であり、（ａ）は、重力型の簡易油槽、（ｂ）重力型の重力油槽、(ｃ）は、圧力型の圧力油槽、（ｄ）は、外油入り外ガス形圧力油槽、（ｅ）は、定圧力油槽、（ｆ）は、ベローズ型のベローズ形重力油槽、及び、（ｇ）は、ベローズ型のベローズ形圧力油槽、を示す。
【図４】油槽の内部に残っている絶縁油レベルの変化を示すグラフであり、（ａ）は、ＯＦケーブル線路が漏油していないときの状態、（ｂ）は、ＯＦケーブル線路が漏油してから下限２段検出接点がオン・オフ切り替わるまでの状態、及び、（ｃ）は、ＯＦケーブル線路が漏油してから最低レベル検出接点がオン・オフ切り替わるまでの状態、を示す。
【図５】本実施形態に係るＯＦケーブル線路監視システムの概念を説明するためのブロック図を示す。
【図６】同実施形態に係るＯＦケーブル線路監視システムの第一の適用例の幹線系統図を示す。
【図７】同実施形態に係るＯＦケーブル線路監視システムの第二の適用例の幹線系統図を示す。
【図８】同実施形態に係るＯＦケーブル線路監視システムの第三の適用例の幹線系統図であり、(ａ)は、ＯＦケーブル線路が漏油していないときの状態、及び、(ｂ)は、ＯＦケーブル線路が漏油した後の状態、を示す。
【図９】同実施形態に係るＯＦケーブル線路監視システムの第四の適用例の幹線系統図であり、(ａ)は、ＯＦケーブル線路が漏油していないときの状態、及び、(ｂ)は、ＯＦケーブル線路が漏油した後の状態、を示す。
【図１０】その他の実施形態に係るＯＦケーブル線路監視システムの概念を説明するためのブロック図を示す。
【発明を実施するための形態】
【００３４】
以下、本発明に係る油入りケーブル線路監視システムの一実施形態について、図１〜６を参酌しつつ、説明する。
【００３５】
まず、本実施形態に係る油入りケーブル線路監視システムで対象となる油入りケーブルについて、図１を参酌しつつ、具体的に例示すると、１本の導体の内部に絶縁油を充填する単心ＯＦケーブル２００（図１（ａ）参照）、３本の導体の内部に絶縁油を充填する３心ＯＦケーブル２１０（図１（ｂ）参照）、及び、鋼管に導体を挿通させて、鋼管の内部に絶縁油を充填するパイプタイプＯＦケーブル２２０（図１（ｃ）参照）などがある。
【００３６】
まず、単心ＯＦケーブル２００は、図１（ａ）に示すように、中央に亜鉛めっき鋼スパイラル管２０１を配置し、この周りに導体２０２を設け、この外周にカーボン紙２０３、絶縁紙２０４及びカーボン紙２０３’を順次被覆し、この外周に遮蔽層２０５、金属シース２０６及び防食層２０７を被覆して構成される。そして、単心ＯＦケーブル２００の油通路は、亜鉛メッキ鋼スパイラル管２０１である。
【００３７】
また、３心ＯＦケーブル２１０は、図１（ｂ）に示すように、導体２１１の周りにカーボン紙２１２、絶縁紙２１３、カーボン紙２１２’、及び、アルミニウムテープとカーボン紙を組合せ巻２１４を順次設けて構成したケーブルコア３本を俵積みとし、これらの周りに３本の亜鉛メッキ鋼スパイラル管２１５とジュート（黄麻）などのケーブルを丸く仕上げるための介在２１６とともに銅線織込布テープ２１７で被覆し、この外周に金属シース２１８及び防食層２１９を被覆して構成される。そして、３心ＯＦケーブル２１０の油通路は、亜鉛メッキ鋼スパイラル管２１５である。
【００３８】
また、パイプタイプＯＦケーブル（又は、ＰＯＦケーブル）２２０は、図１（ｃ）に示すように、鋼管２２１の中にケーブルコア２２２を３条引き入れ、鋼管２２１内に絶縁油２２３を充填して構成される。ケーブルコア２２２は、導体２２４の周りに絶縁紙、半合成紙を巻回してなる絶縁体及び補強層２２５と、防湿層２２６と、そして、その上に巻きつけたスキッドワイヤ２２７とから構成される。そして、パイプタイプＯＦケーブル２２０の油通路は、鋼管２２１である。
【００３９】
次に、油入りケーブルを用いる油入りケーブル線路の概略構成について、図２を参酌しつつ、説明する。なお、本実施形態においては、ＯＦケーブルを用いたＯＦケーブル線路を代表例として説明し、他の油入りケーブルを用いた油入りケーブル線路においては、基本的な構成が同じであるため、説明を省略する。また、図２の（ａ）で示すＯＦケーブル線路１は、給油装置２の油槽３が後述する重力型である例を示し、（ｂ）で示すＯＦケーブル線路１は、給油装置２の油槽３が後述する圧力型である例を例示したものである。
【００４０】
ＯＦケーブル線路１は、ＯＦケーブル１１を絶縁接続箱１２、普通接続箱１３、油止接続箱１４などで接続して、管路内に敷設されたものである。そして、その終端は、終端処理をしてケーブルヘッド１５を介して外部の機器（変圧器やその他のケーブル等）に接続される。
【００４１】
また、ＯＦケーブル１１の立ち上がり部分、すなわち、ケーブルヘッド１５の下方の部分には、これに隣接して防油堤１６が配設され、これに隣接して集積枡１７が併設されると共に、この集積枡１７に漏油する可能性のある絶縁油の最大油量を想定した吸着マットが配設される。そして、ＯＦケーブル線路１が漏油したときには、防油堤１６で絶縁油の環境への影響を防止するとともに、この漏油した絶縁油を集積枡１７に集めて吸着マットに吸着させることにより、絶縁油を雨水等の水分と分離して処理することが可能となる。
【００４２】
また、ＯＦケーブル線路１には、ＯＦケーブル１１に絶縁油を給油するための給油装置２を備える。該給油装置２は、絶縁油などを貯蔵するための油槽３と、ＯＦケーブル線路１及び該油槽３間を接続し、ＯＦケーブル１１に絶縁油を充填するために、絶縁油を流通させる給油管４とを備える。しかも、給油装置２は、ＯＦケーブル線路に通電する負荷電流や周囲の温度の変化などにより膨張した絶縁油を避圧のために、ＯＦケーブル線路から絶縁油を返油することもできる。
【００４３】
前記油槽３は、ＯＦケーブル線路１相あたりに１基づつ備えられており、それぞれをつなぐ給油管４も同じく１本づつ備えられている。また、前記給油管４は、ＯＦケーブル線路１と前記油槽３との間を絶縁油を流通させる油配管４１とバルブパネル４２とを備える。
【００４４】
次に、前記油槽３について、さらに詳しく説明する。油槽３は、ＯＦケーブル線路１との高低差による重力を利用してＯＦケーブル線路１に油圧を加える重力型と、絶縁油にガスなどの圧力を利用して油圧を加える圧力型と、重力型及び圧力型の容積可変セルをベローズに変えたベローズ型とに分けられる。
【００４５】
まず、前記重力型の油槽３について説明すると、重力型の油槽３の具体的な例として、図３（ａ）に示す簡易油槽３００、及び、図３（ｂ）に示す重力油槽３１０（Ｏｉｌ  Ｆｅｅｄｉｎｇ  Ｔａｎｋ；ＦＴ）が挙げられる。
【００４６】
前記簡易油槽３００は、油槽本体３０１をＯＦケーブル線路が備えられた位置より高い位置に設置し、この高低差による重力を利用してＯＦケーブル線路に所定圧の絶縁油３０２を供給している。そして、簡易油槽３００は、油槽本体３０１に直接、絶縁油３０２を貯蔵している。
【００４７】
前記重力油槽３１０は、油槽本体３１１をＯＦケーブル線路が備えられた位置より高い位置に設置し、この高低差による重力を利用してＯＦケーブル線路に所定圧の絶縁油３１２を供給している。そして、重力油槽３１０は、絶縁油３１２を貯蔵する容積可変セル３１３を備えており、油槽本体３１１と該容積可変セル３１３との間に外油３１４を貯蔵している。
【００４８】
次に、前記圧力型の油槽３について説明すると、圧力型の油槽３の具体的な例として、図３（ｃ）に示す圧力油槽（Ｐｒｅｓｓｕｒｅ  Ｔａｎｋ；ＰＴ）３２０、図３（ｄ）に示す外油入り外ガス形圧力油槽（Ｏｕｔｅｒ  ｇａｓ  ｔｙｐｅ  Ｐｒｅｓｓｕｒｅ  Ｔａｎｋ；ＯＰＴ）３３０、及び、図３（ｅ）に示すに定圧力油槽（若しくは、特殊圧力油槽、Ｓｐｅｃｉａｌ  Ｐｒｅｓｓｕｒｅ  Ｔａｎｋ；ＳＰＴ）３４０が挙げられる。
【００４９】
前記圧力油槽３２０は、油槽本体３２１の内部にガスを封入して、その圧力を利用してＯＦケーブル線路に所定圧の絶縁油３２２を供給している。そして、圧力油槽３２０は、絶縁油３２２に圧力を加えるガス３２３を、具体的には、不活性ガスなどの窒素ガスを封入する容積可変セル３２４を備えており、油槽本体３２１と容積可変セル３２４との間に絶縁油３２２を貯蔵している。
【００５０】
前記外油入り外ガス形圧力油槽３３０は、油槽本体３３１の内部にガスを封入して、その圧力を利用してＯＦケーブル線路に所定圧の絶縁油３３２を供給している。そして、外油入り外ガス形圧力油槽３３０は、絶縁油３３２を貯蔵する容積可変セル３３３を備えており、油槽本体３３１と容積可変セル３３３との間に外油３３４を貯蔵し、絶縁油３３２を貯蔵した容積可変セル３３３に圧力を加えるガス３３５を、具体的には、不活性ガスなどの窒素ガスを油槽本体３３１と外油３３４の油面若しくは容積可変セル３３３との間に封入している。
【００５１】
前記定圧力油槽３４０は、油槽本体３４１の内部にガスを圧送して、その圧力を利用してＯＦケーブルに一定圧の絶縁油３４２を供給している。そして、定圧力油槽３４０は、絶縁油３４２を貯蔵する容積可変セル３４３と、油槽本体３４１にガスを圧送するためのガス圧源３４４とを備えており、油槽本体３４１と容積可変セル３４３との間に外油３４５を貯蔵し、ガス圧源３４４が絶縁油３４２を貯蔵した容積可変セル３４３に外油３４５を介して圧力を加えるガス３４６を、具体的には、空気を油槽本体３４１と外油３４５の油面若しくは容積可変セル３４３との間に圧送している。
【００５２】
次に、前記ベローズ型の油槽３について説明すると、ベローズ型の油槽３の具体的な例として、図３（ｆ）に示すベローズ形重力油槽（Ｂｅｌｌｏｗｓ  Ｆｅｅｄｉｎｇ  Ｔａｎｋ；ＢＦＴ）３５０と、図３（ｇ）に示すベローズ形圧力油槽（Ｂｅｌｌｏｗｓ  Ｐｒｓｓｕｒｅ  Ｔａｎｋ；ＢＰＴ）３６０が挙げられる。
【００５３】
前記ベローズ形重力油槽３５０は、重力油槽３１０の容積可変セル３１３の形状を蛇腹状のベローズとしたものであり、油槽本体３５１をＯＦケーブル線路が備えられた位置より高い位置に設置し、この高低差による重力を利用してＯＦケーブルに所定圧の絶縁油３５２を供給している。そして、ベローズ形重力油槽３５０は、絶縁油３５２を貯蔵するベローズ３５３を備える。
【００５４】
前記ベローズ形圧力油槽３６０は、圧力油槽３２０の容積可変セル３２４の形状を蛇腹状のベローズとしたものであり、油槽本体３６１の内部にガスを封入して、その圧力を利用してＯＦケーブルに所定圧の絶縁油３６２を供給している。そして、ベローズ形圧力油槽３６０は、絶縁油３６２を貯蔵するベローズ３６３を備えており、絶縁油３６２を貯蔵したベローズ３６３も圧力を加えるガス３６４を、具体的には、不活性ガスなどの窒素ガスを油槽本体３６１とベローズ３６３との間に封入している。
【００５５】
ここで、前記油槽３は、ＯＦケーブル線路１へ給油し、若しくは、ＯＦケーブル線路１から返油される絶縁油の絶縁油レベルを直接又は間接的に検出するためのレベル検出装置を備える。また、油槽３は、絶縁油レベルを表示する油量表示計を備える。
【００５６】
前記レベル検出装置は、ＯＦケーブル線路１から漏油している可能性のある絶縁油レベルを直接又は間接的に検出するための下限１段検出接点と、該下限１段レベル及びＯＦケーブル線路に必要な絶縁油の最低レベルの略中間の絶縁油レベルを直接又は間接的に検出するための下限２段検出接点と、絶縁油の最低レベルを直接又は間接的に検出するための最低レベル検出接点とを備える。
【００５７】
これらレベル検出装置の下限１段検出接点、下限２段検出接点、及び、最低レベル検出接点の設定について、図４を参酌しつつ、より詳しく説明する。まず、絶縁油レベルは、通常、図４（ａ）に示すように、ＯＦケーブル線路１を流れる負荷電流や周囲の温度変化などにより、一定範囲を略周期的に変動する。これに対し、ＯＦケーブル線路１が漏油すると、絶縁油レベルは、図４（ｂ）に示すように、この一定範囲から外れて低下する。なお、図４（ｂ）の点線は、ＯＦケーブル線路が漏油していない状態の絶縁油レベルの変動を示す。
【００５８】
従って、レベル検出装置の下限１段検出接点は、この略周期的に変動している一定の範囲より低い位置である下限１段レベルＬ１でオン・オフ切り替わるように設定することで、ＯＦケーブル線路１から漏油している可能性のある絶縁油レベルでオン・オフ切り替わるようになっている。また、下限２段検出接点は、下限１段レベルＬ１とＯＦケーブル線路に必要な絶縁油の最低レベルＬ３との略中間の絶縁油レベルでオン・オフ切り替わるようになっている。
【００５９】
なお、このときの下限１段検出接点は、必ずしも漏油していることを検出するものではなく、通常の一定範囲を超えて絶縁油レベルが低下していることを意味する注意を喚起するものである。よって、通常、ＯＦケーブル線路１に設けられる漏油を検出する下限１段検出接点よりも絶縁油レベルが高く設定されている。また、下限２段検出接点は、絶縁油が最低レベルＬ３に至るまでの時間を認識するための目安とするためのものであり、下限１段レベルＬ１と最低レベルＬ３との間の特定レベルに設定されたものであり、具体的には、下限２段レベルＬ２は、下限１段レベルＬ１と最低レベルＬ３との略中間の絶縁油レベルである。
【００６０】
さらに、レベル検出装置の最低レベル検出接点は、図４（ｃ）に示すように、ＯＦケーブル線路１に必要な絶縁油の最低レベルＬ３で作動するように設定されている。この最低レベルＬ３は、これ以上低下すれば、ＯＦケーブル線路１の絶縁油が不足して絶縁破壊を起こす可能性がある絶縁油レベルである。
【００６１】
前記レベル検出装置の接点が直接又は間接的にオン・オフ切り替わる絶縁油レベルは、絶縁油を貯蔵する油槽に貯蔵された絶縁油レベルになっている。
【００６２】
ここで、図３（ａ）に示す簡易油槽３００で用いるレベル検出装置は、油槽本体３０１の内部に貯蔵された絶縁油３０２の油面の変化を直接、検出することにより、油槽本体３０１に残っている絶縁油３０２の油面レベルを検出可能なようになっている。
【００６３】
また、図３（ｂ）に示す重力油槽３１０で用いるレベル検出装置は、容積可変セル３１３の内部に残っている絶縁油３１２のレベルと連動して、変動する油槽本体３１１の内部に貯蔵された外油３１４の油面レベルを検出することにより、油槽本体３１１に残っている絶縁油３１２のレベルを間接的に検出可能なようになっている。
【００６４】
そして、絶縁油３１２のレベルの検出方法は、例えば、容積可変セル３１３に絶縁油３１２を注油する前の外油３１４のレベルを０（ゼロ）Ｌと設定する。そして、絶縁油３１２を容積可変セル３１３に注油すると、容積可変セル３１３が絶縁油３１２を注油した分だけ拡張し、拡張された容積分だけ外油３１４の油面が上昇する。また、絶縁油３１２がＯＦケーブル線路に給油されると、その給油された分だけ縮小し、縮小した容積分だけ外油３１４の油面が降下する。従って、レベル検出装置の接点は、絶縁油３１２の下限１段レベル、下限２段レベル、及び、最低レベルにそれぞれ対応する外油３１４の油面レベルでオン・オフ切り替わるように設定されている。
【００６５】
また、図３（ｃ）に示す圧力油槽３２０で用いるレベル検出装置は、油槽本体３２１と容積可変セル３２４の間に残っている絶縁油３２２のレベルと連動して、変動する容積可変セル３２４に封入されたガス３２３の圧力レベルを検出することにより、油槽本体３２１に残っている絶縁油３２２のレベルを間接的に検出可能なようになっている。
【００６６】
そして、絶縁油３２２のレベルの検出方法は、例えば、油槽本体３２１に絶縁油３２２を注油する前のガス３２３のレベルを０（ゼロ）Ｌと設定する。そして、絶縁油３２２を油槽本体３２１に注油すると、容積可変セル３２４が絶縁油３２２を注油した分だけ縮小し、縮小された容積分だけガス３２３の圧力が上昇する。また、絶縁油３２２がＯＦケーブル線路に給油されると、その給油された分だけ拡張し、拡張した容積分だけガス３２３の圧力が降下する。従って、レベル検出装置の接点は、絶縁油３２２の下限１段レベル、下限２段レベル、及び、最低レベルにそれぞれ対応するガス３２３の圧力レベルでオン・オフ切り替わるように設定されている。
【００６７】
また、図３（ｄ）に示す外油入り外ガス形圧力油槽３３０で用いるレベル検出装置は、容積可変セル３３３の内部に残っている絶縁油３３２のレベルと連動して、変動する油槽本体３３１の内部に貯蔵された外油３３４の油面レベルを検出することにより、油槽本体３３１に残っている絶縁油３３２のレベルを間接的に検出可能なようになっている。
【００６８】
あるいは、前記外油入り外ガス形圧力油槽３３０で用いるレベル検出装置は、容積可変セル３３３の内部に残っている絶縁油３３２のレベルと連動して、変動する油槽本体３３１と外油３３４の油面若しくは容積可変セル３３３との間に封入されたガス３３３の圧力レベルを検出することにより、油槽本体３３１に残っている絶縁油３３２のレベルを間接的に検出可能なようになっていてもよい。
【００６９】
また、図３（ｅ）に示す定圧力油槽３４０で用いるレベル検出装置は、容積可変セル３４３の内部に残っている絶縁油３４２のレベルと連動して、変動する油槽本体３４１の内部に貯蔵された外油３４５の油面レベルを検出することにより、油槽本体３４１に残っている絶縁油３４２のレベルを間接的に検出可能なようになっている。
【００７０】
あるいは、前記定圧力油槽３４０で用いるレベル検出装置は、容積可変セル３４３の内部に残っている絶縁油３４２のレベルと連動して、変動するガス３４６の吸排気量を検出することにより、油槽本体３４１に残っている絶縁油３４２のレベルを間接的に検出可能なようになっている。
【００７１】
そして、絶縁油３４２のレベルの検出方法は、例えば、油槽本体３４１に絶縁油３４２を注油する前のガス３４６の圧力レベルを０（ゼロ）Ｌと設定する。そして、絶縁油３４２を油槽本体３４１に注油すると、容積可変セル３４３が絶縁油３４２を注油した分だけ拡張し、拡張された容積分だけガス３４６が排気される。また、絶縁油３４２がＯＦケーブル線路に給油されると、その給油された分だけ縮小し、縮小した容積分だけガス３４６が給気される。従って、レベル検出装置の接点は、絶縁油３４２の下限１段レベル、下限２段レベル、及び、最低レベルにそれぞれ対応するガス３４６の吸排気量でオン・オフ切り替わるように設定される。
【００７２】
また、図３（ｆ）に示すベローズ形重力油槽３５０で用いるレベル検出装置は、ベローズ３５３の内部に残っている絶縁油３５２のレベルと連動して、変動するベローズ３５３の伸縮量を検出することにより、油槽本体３５１に残っている絶縁油３５２のレベルを間接的に検出可能なようになっている。
【００７３】
そして、絶縁油３５２のレベルの検出方法は、例えば、ベローズ３５３に絶縁油３５２を注油する前のベローズの伸縮量を０（ゼロ）Ｌと設定する。そして、絶縁油３５２をベローズ３５３に注油すると、ベローズ３５３が絶縁油３５２を注油した分だけ拡張する。また、絶縁油３５２がＯＦケーブル線路に給油されると、その給油された分だけ縮小する。従って、レベル検出装置の接点は、絶縁油３５２の下限１段レベル、下限２段レベル、及び、最低レベルにそれぞれ対応するベローズ３５３の伸縮量でオン・オフ切り替わるように設定されている。
【００７４】
あるいは、油槽本体３５１とベローズ３５３との間に外油を貯蔵することで、ベローズ形重力油槽３５０で用いるレベル検出装置は、ベローズ３５３の内部に残っている絶縁油３５２のレベルと連動して、変動する油槽本体３５１の内部に貯蔵された外油の油面レベルを検出することにより、油槽本体３５１に残っている絶縁油３５２のレベルを間接的に検出可能なようになっていてもよい。
【００７５】
また、図３（ｇ）に示すベローズ形圧力油槽３６０で用いるレベル検出装置は、ベローズ３６３の内部に残っている絶縁油３６２のレベルと連動して、変動するベローズ３６３の伸縮量を検出することにより、油槽本体３６１に残っている絶縁油３６２のレベルを間接的に検出可能なようになっている。
【００７６】
あるいは、前記ベローズ形圧力油槽３６０で用いるレベル検出装置は、ベローズ３５３の内部に残っている絶縁油３５２のレベルの変化に伴って変化する油槽本体３５１とベローズ３５３との間に封入されたガス３５４の圧力の変化を検出することにより、油槽本体３５１に残っている絶縁油３５２のレベルを間接的に検出可能なようになっていてもよい。
【００７７】
次に、これらレベル検出装置から発信される検出信号を受信し、報知するための監視装置について、図５を参酌しつつ、説明する。監視装置６は、前記下限１段検出接点がオン・オフ切り替わることにより発信される下限１段検出信号と、前記下限２段検出接点がオン・オフ切り替わることにより発信される下限２段検出信号とを受信することによって、絶縁油レベルが最低レベルに至るまでの時間を認識可能なように報知し、また、最低レベル検出接点がオン・オフ切り替わることにより発信される最低レベル検出信号を受信することによって、絶縁油レベルが最低レベルに至ったことを報知可能である。また、監視装置６は、レベル検出装置５から検出信号を発信される制御ケーブルに断線などの異常があったときに、その異常を検出するための制御ケーブル異常検出装置８を取り付けている。
【００７８】
また、前記監視装置６は、前記レベル検出装置５から発信される検出信号を受信する信号受信部６１と、該信号受信部６１が受信した検出信号から、遮断器Ａ、Ｂを開放させるべきかを判定し、遮断器Ａ、Ｂを開放させる必要があれば、遮断器Ａ、Ｂを開放させるための遮断信号を送電線路保護装置７Ａ、７Ｂに発信する遮断判定部６２とを備える。なお、送電線路保護装置７Ａ、７Ｂは、送電線路の事故の拡大を防ぐために、遮断器や負荷開閉器などを開閉操作して、事故の発生した送電線路を切り離し、健全な送電線路の送電を維持する装置である。
【００７９】
前記信号受信部６１は、前記レベル検出装置５から前記下限１段検出信号、前記下限２段検出信号、前記最低レベル検出信号、及び、前記制御ケーブル異常信号を受信するためのインターフェースである。また、信号受信部６１は、レベル検出装置５からの下限１段検出信号を受信したとき、一時的な絶縁油レベルの変動などが原因の不要な表示を防止するため、タイマーを内蔵しており、下限１段検出信号がタイマーで設定した時間を越えて連続して受信する場合のみ、下限１段検出信号を受信するものとみなす。
【００８０】
なお、図５に示す信号受信部６１は、ＯＦケーブル線路１の各相に備えられた油槽３にそれぞれ取り付けられているレベル検出装置５から発信される検出信号（下限１段検出信号、下限２段検出信号、最低レベル検出信号）のうち、１相分のみ受信するように図示しているが、これは、ＯＦケーブル線路の１相から発信される検出信号を代表して図示したものであり、他の２相の検出信号の図示を省略したものである。
【００８１】
前記遮断判定部６２は、受信した前記下限１段検出信号、前記下限２段検出信号、及び、前記最低レベル検出信号が同時に入力されると、遮断器Ａ、Ｂを開放させるべく、前記送電線路保護装置７Ａ、７Ｂに対して、遮断信号を出力する。また、遮断判定部６２は、検出信号の誤動作による遮断信号の発信を避けるために、タイマーを内蔵しており、タイマーで設定された時間を越えて連続して下限１段検出信号、下限２段検出信号、及び、最低レベル検出信号が同時に入力され続けると、遮断信号が発信するようになっている。そして、送電線路保護装置７Ａが遮断信号を受信すると、遮断器Ａが開放される。
【００８２】
また、前記監視装置６は、遮断信号を遠方に発信するとき、具体的には、監視装置６を備えた電気所Ａの同一構内にない電気所Ｂへ発信するときのために、前記遮断判定部６２から発信された遮断信号を遠方に転送する信号転送発信部６３を備える。一方、電気所Ｂは、該信号転送発信部６３が発信した遮断信号を受信する信号転送受信部６４を備える。また、信号転送受信部６４は、信号転送発信部６３からの遮断信号の誤動作による遮断信号の発信を避けるために、タイマーを内蔵しており、タイマーで設定された時間を越えて連続して遮断信号が入力され続けると、前記送電線路保護装置７Ｂに遮断信号が発信するようになっており、送電線路保護装置７Ｂが遮断信号を受信すると、遮断器Ｂが開放される。なお、監視装置６が遠方に遮断信号を発信する必要がないときは、信号転送発信部６３及び信号転送受信部６４を備える必要はない。
【００８３】
また、前記監視装置６は、前記信号受信部６１が受信した検出信号やＯＦケーブル線路１を開閉操作する遮断器の遮断状態などの状態表示を表示する状態表示部６５を備えており、前記レベル検出装置５から発信された前記下限１段検出信号を受信したことを表示する下限１段警報表示６５ａと、レベル検出装置５から発信された前記下限２段検出信号を受信したことを表示する下限２段警報表示６５ｂと、レベル検出装置５から発信された最低レベル検出信号を受信したことを表示する最低レベル警報表示６５ｃと、制御ケーブル異常検出装置８から発信された制御ケーブル異常検出信号を受信したことを表示する制御ケーブル異常警報表示６５ｄとを備える。さらに、状態表示部６５は、遮断器Ａ、Ｂが開放されたことを表示するための遮断器遮断表示６５ｅを備える。
【００８４】
よって、前記信号受信部６１がレベル検出装置５から下限１段検出信号を、タイマーに設定された時間を越えて連続して受信するとき、下限１段検出信号を前記状態表示部６５に入力して、前記下限１段警報表示６５ａに表示させる。なお、信号受信部６１が下限１段検出信号をタイマーに設定された時間を越えて連続して受信しないとき、状態表示部６５は、下限１段検出信号を状態表示部６５には入力されないため、不要な警報を表示することを防止することができる。
【００８５】
次に、前記監視装置６がレベル検出装置５から下限１段検出信号を受信しつつ、さらに、下限２段検出信号を受信すると、前記信号受信部６１は、下限２段検出信号を前記状態表示部６５に入力して、前記下限２段警報表示６５ｂに表示させる。
【００８６】
さらに、前記監視装置６がレベル検出装置５から下限１段検出信号及び下限２段検出信号を受信しつつ、最低レベル検出信号を受信すると、前記遮断判定部６２が遮断器Ａを開放させるべく、前記送電線路保護装置７Ａに遮断信号を発信する。そして、遮断信号を受信した送電線路保護装置７Ａは、遮断器Ａを開放する。また、遮断判定部６２は、同時に、遮断器Ｂを開放すべく、前記信号転送発信部６３に遮断信号を発信し、信号転送発信部６３は、前記信号転送受信部６４に遮断信号を転送する。そして、転送された遮断信号を受信した信号転送受信部６４は、送電線路保護装置７Ｂに遮断信号を発信し、遮断信号を受信した送電線路保護装置７Ｂは、遮断器Ｂを開放する。また、遮断判定部６２は、さらに、状態表示部６５に遮断信号を入力し、遮断器遮断表示６５ｅを表示する。
【００８７】
次に、前記レベル検出装置５及び前記監視装置６によって構成されるＯＦケーブル線路監視システムの具体的な適用例について、図６を参酌しつつ、説明する。ＯＦケーブル線路１０１は、架空送電線路１０２で送電する区間を除き、電気所Ａから需要家Ｃ１まで送電する線路である。そして、ＯＦケーブル線路１０１と架空送電線路１０２とを接続する油止接続箱１４に近接する場所Ｂに、給油装置２を備える。電気所Ａには、監視装置６と、電気所Ａ内の母線１０３と、ＯＦケーブル線路１０１及び架空送電線路１０２とを母線１０３から遮断するための遮断器ＣＢ０１と、該遮断器ＣＢ０１を開放する送電線路保護装置７とを備える。
【００８８】
そして、ＯＦケーブル線路１０１の地点ａから絶縁油が漏油した場合、まず、給油設備２に備えられたレベル検出装置５が下限１段検出信号を発信し、該下限１段検出信号を受信した監視装置６は、下限１段警報表示を表示する。この下限１段警報表示を受けて、電気所Ａの監視員は、漏油に対する対策を検討する。具体的には、下限１段警報は、注意を喚起するものであるため、ＯＦケーブル線路１０１の漏油の状況を確認するべく、作業員を派遣する。
【００８９】
さらに、ＯＦケーブル線路１０１が漏油し続けると、レベル検出装置５が下限２段検出信号を発信し、該下限２段検出信号を受信した監視装置６は、下限２段警報表示を表示する。この下限２段警報表示を受けて、電気所Ａの監視員は、下限１段警報表示から下限２段警報表示までにかかった時間を参考に、ＯＦケーブル線路１０１の漏油の状況を確認している作業員にどのぐらいまで作業を行わせるか、また、すぐに、作業を中止させるべきかを判断する。なお、このとき、油槽に絶縁油を補給することで作業を継続できると判断できるときは、絶縁油を補給させるべく油槽に作業員を向かわせるように判断することもできる。また、電気所Ａの監視員は、停電させざるを得ないと判断したときは、需要家Ｃ１に対して、停電の事前連絡を行うよう判断してもよい。
【００９０】
さらに、ＯＦケーブル線路１０１が漏油し続けると、レベル検出装置５が最低レベル検出信号を発信し、最低レベル検出信号を受信した監視装置６は、最低レベル警報表示と遮断器遮断表示を表示すると共に、送電線路保護装置７に遮断器ＣＢ０１を開放させるための遮断信号を発信する。そして、遮断信号を受信した送電線路保護装置７は、遮断器ＣＢ０１を開放し、ＯＦケーブル線路１０１、架空送電線路１０２、及び、需要家Ｃ１が母線１０３から遮断され、停電する。なお、遮断器ＣＢ０１に引かれた×印は、遮断器が開放されていることを示すものである。
【００９１】
そして、この最低レベル警報表示及び遮断器遮断表示を受けて、電気所Ａの監視員は、ＯＦケーブル線路１０１が遮断されたことを確認できる。また、漏油の状況を確認している作業員は、安全を確認した上で、作業を再開することができ、ＯＦケーブル線路１０１が停電しているため、作業中に絶縁破壊を起こして、作業員が負傷することなく、安全に作業を行うことができる。
【００９２】
次に、ＯＦケーブル線路監視システムの第二の適用例について、図７を参酌しつつ、説明する。ＯＦケーブル線路１１１、１１２は、架空送電線路１１３、１１４で送電する区間を除き、それぞれ電気所Ｃから需要家Ｃ２まで２回線で送電する線路である。そして、ＯＦケーブル線路１１１、１１２と架空送電線路１１３、１１４とを接続する油止接続箱１４、１４に近接する場所Ｄに、給油装置２、２’を備える。電気所Ｃには、監視装置６’と、電気所Ｃ内の母線１１５と、ＯＦケーブル線路１１１、１１２及び架空送電線路１１３、１１４を母線１１５から遮断するための遮断器ＣＢ１１と、該遮断器ＣＢ１１を開放する送電線路保護装置７とを備える。なお、断路器ＤＳ１１は、通常は開放されている。また、断路器ＤＳに引かれた線は、断路器が開放をされていることを示し、負荷開閉器ＬＢＳに引かれた線も同様である。
【００９３】
監視装置６’は、ＯＦケーブル線路１１１に備えられた油槽に取り付けられたレベル検出装置５から発信された検出信号と、ＯＦケーブル線路１１２に備えられた油槽に取り付けられたレベル検出装置５’から発信された検出信号との両方を判別可能に受信することができる信号受信部を備え、状態表示部も、下限１段警報表示、下限２段警報表示、最低レベル警報表示などが、レベル検出装置５及び５’のいずれから表示されたものであるか識別可能に表示される。具体的には、レベル検出装置５から発信された検出信号には、１１１系と表示され、また、レベル検出装置５’から発信された検出信号には、１１２系と表示される。
【００９４】
そして、ＯＦケーブル線路１１１の地点ｂから絶縁油が漏油した場合、まず、レベル検出装置５が下限１段検出信号を発信し、該下限１段検出信号を受信した監視装置６’は、１１１系下限１段警報表示を表示する。ここで、１１１系下限１段警報表示とは、ＯＦケーブル線路１１１が下限１段警報状態にあることを意味する。そして、この１１１系下限１段警報表示を受けて、電気所Ｃの監視員は、漏油に対する対策を検討する。
【００９５】
さらに、ＯＦケーブル線路１１１が漏油し続けると、レベル検出装置５’が１１１系下限２段検出信号を発信し、該１１１系下限２段検出信号を受信した監視装置６’は、１１１系下限２段警報表示を表示する。この１１１系下限２段警報表示を受けて、電気所Ｃの監視員は、１１１系下限１段警報表示から１１１系下限２段警報表示までにかかった時間を参考に、漏油に対する対策を判断する。例えば、ＯＦケーブル線路１１１、１１２が２回線で送電されているため、ＯＦケーブル線路１１１を遮断する判断をしてもよい。
【００９６】
さらに、ＯＦケーブル線路１１１が漏油し続けると、レベル検出装置５’が１１１系最低レベル検出信号を発信し、１１１系最低レベル検出信号を受信した監視装置６’は、１１１系最低レベル警報表示と１１１系遮断器遮断表示を表示すると共に、送電線路保護装置７に遮断器ＣＢ１１を開放させるための遮断信号を発信する。そして、遮断信号を受信した送電線路保護装置７は、遮断器ＣＢ１１を開放し、ＯＦケーブル線路１１１、１１２、架空送電線路１１３、１１４、及び、需要家Ｃ２を母線１１５から遮断され、停電する。
【００９７】
そして、この１１１系最低レベル警報表示及び１１１系遮断器遮断表示を受けて、電気所Ｃの監視員は、ＯＦケーブル線路１１１、１１２が遮断されたことを確認できる。また、漏油の状況を確認している作業員は、安全に作業を行うことができる。
【００９８】
次に、ＯＦケーブル線路監視システムの第三の適用例について、図８を参酌しつつ、説明する。ＯＦケーブル線路１２１は、電気所Ｅの所内の母線１２２、１２３からそれぞれ負荷開閉器ＬＢＳ２１、ＬＢＳ２２を介して需要家Ｃ３まで送電される線路である。そして、母線１２２、１２３は、それぞれ架空送電線１２４、１２５からそれぞれ遮断器ＣＢ２１、ＣＢ２２を介して、送電される。また、架空送電線路１２６は、母線１２２、１２３からそれぞれ負荷開閉器ＬＢＳ２３、ＬＢＳ２４を介して需要家Ｃ４まで送電される線路である。架空送電線１２７も、母線１２２、１２３からそれぞれ負荷開閉器ＬＢＳ２５、ＬＢＳ２６を介して需要家Ｃ５まで送電される線路である。なお、需要家Ｃ３、Ｃ４については、負荷開閉器ＬＢＳ２１、ＬＢＳ２３を開放することで母線１２３から送電しており、需要家Ｃ５については、負荷開閉器ＬＢＳ２６を開放することで母線１２２から送電している。なお、母線１２２、１２３は、負荷開閉器ＬＢＳ２７、ＬＢＳ２８より相互に接続される。そして、電気所Ｅには、給油装置２と、監視装置６と、電気所Ｅの所内の遮断器及び負荷開閉器を開放する送電線路保護装置７とを備える。
【００９９】
そして、ＯＦケーブル線路１２１の地点ｃから絶縁油が漏油した場合、図８（ｂ）に示すように、まず、レベル検出装置５が下限１段検出信号を発信し、該下限１段検出信号を受信した監視装置６は、下限１段警報表示を表示する。この下限１段警報表示を受けて、電気所Ｅの監視員は、漏油に対する対策を検討する。
【０１００】
例えば、ＯＦケーブル線路１２１を遮断させるときに、停電させる範囲を需要家Ｃ３に限定して、需要家Ｃ４、Ｃ５には送電を継続させるために、負荷開閉器ＬＢＳ２３を投入し、負荷開閉器ＬＢＳ２４を開放することで、需要家Ｃ４を母線１２３から母線１２２に切り替える。また、負荷開閉器ＬＢＳ２７、ＬＢＳ２８を開閉して、母線１２３と母線１２４を切り離す。従って、需要家Ｃに送電する母線１２３を停電させても、母線１２２から送電される需要家Ｃ４、Ｃ５は、停電することなく、送電を継続させることができる。
【０１０１】
さらに、ＯＦケーブル線路１２１が漏油し続けると、図８（ｂ）に示すように、レベル検出装置５が下限２段検出信号を発信し、該下限２段検出信号を受信した監視装置６は、下限２段警報表示を表示する。この下限２段警報表示を受けて、電気所Ｅの監視員は、下限１段警報表示から下限２段警報表示までにかかった時間を参考に、漏油に対する対策を判断する。
【０１０２】
さらに、ＯＦケーブル線路１２１が漏油し続けると、レベル検出装置５が最低レベル検出信号を発信し、該最低レベル検出信号を受信した監視装置６は、最低レベル警報表示と遮断器遮断表示を表示すると共に、送電線路保護装置７に遮断器ＣＢ２２を開放させるための遮断信号を発信する。そして、遮断信号を受信した送電線路保護装置７は、遮断器ＣＢ２２を開放し、ＯＦケーブル線路１２１、母線１２３、需要家Ｃ３を架空送電線路１２５から遮断され、停電する。なお、母線１２２から送電される需要家Ｃ４、Ｃ５は、停電せずに送電を継続させることもできる。
【０１０３】
そして、この最低レベル警報表示及び遮断器遮断表示を受けて、電気所Ｅの監視員は、ＯＦケーブル線路１２１が遮断されたことを確認できる。また、漏油の状況を確認している作業員は、安全に作業を行うことができる。
【０１０４】
次に、ＯＦケーブル線路監視システムの第四の適用例について、図９を参酌しつつ、説明する。ＯＦケーブル線路１３１は、架空送電線路１３２、１３３からそれぞれ断路器ＬＳ３１、断路器ＬＳ３２を介して需要家Ｃ６まで送電される線路である。また、架空送電線路１３２、１３３は、一方を電気所Ｆの所内の母線１３４にそれぞれ遮断器ＣＢ３１、ＣＢ３２を介して接続され、他方を電気所Ｇの所内の母線１３５にそれぞれ遮断器ＣＢ３３、ＣＢ３４を介して接続される。また、架空送電線路１３６は、架空送電線路１３２、１３３からそれぞれ断路器ＬＳ３３、ＬＳ３４を介して需要家Ｃ７まで送電される線路である。架空送電線路１３７は、架空送電線路１３２から分岐して電気所Ｈに送電させる線路であり、架空送電線路１３７の電気所Ｈ側は、電気所Ｈに備えられる遮断器ＣＢ３６で開放される。架空送電線路１３８は、架空送電線路１３３から分岐して電気所Ｈに送電させる線路であり、架空送電線路１３８は、電気所Ｈに備えられる電気所Ｈ側遮断器ＣＢ３７で開放される。なお、電気所Ｆは、遮断器ＣＢ３１、ＣＢ３２を開放しており、電気所Ｇから、架空送電線路１３２、１３３に送電されており、需要家Ｃ６については、断路器ＬＳ３１を開放して、架空送電線路１３３から送電しており、需要家Ｃ７については、断路器ＬＳ３３を開放して、架空送電線路１３３から送電している。電気所Ｈは、遮断器ＣＢ３６、ＣＢ３７の両方と投入されており、架空送電線路１３２、１３３の両方から送電される。
【０１０５】
そして、ＯＦケーブル線路１３１と架空送電線路１３２、１３３とを接続する油止接続箱１４に近接する場所Ｉに、給油装置２を備える。電気所Ｆには、監視装置６と、電気所Ｆの所内の遮断器を開放する送電線路保護装置７とを備える。なお、監視装置６は、遮断信号を転送するための信号転送発信部６３を備える。また、電気所Ｇ、Ｈには、監視装置６の信号転送受信部６４、６４と、電気所Ｇ、Ｈの所内の遮断器ＣＢ３４、ＣＢ３７を開放する送電線路保護装置７、７とを備える。
【０１０６】
そして、ＯＦケーブル線路１３１の地点ｄから絶縁油が漏油した場合、図９（ｂ）に示すように、まず、レベル検出装置５が下限１段検出信号を発信し、該下限１段検出信号を受信した監視装置６は、下限１段警報表示を表示する。この下限１段警報表示を受けて、電気所Ｆの監視員は、漏油に対する対策を検討する。
【０１０７】
例えば、ＯＦケーブル線路１３１を遮断させるときに、停電させる範囲を需要家Ｃ６に限定して、需要家Ｃ７、電気所Ｈには送電を継続させるために、断路器ＬＳ３３を投入し、断路器ＬＳ３４を開放して、需要家Ｃ７を架空送電線路１３３から架空送電線路１３２に切り替える。従って、需要家Ｃ６に送電する架空送電線路１３３を停電させても、需要家Ｃ７、電気所Ｈは、停電しないようにすることができる。
【０１０８】
さらに、ＯＦケーブル線路１３１が漏油し続けると、レベル検出装置５が下限２段検出信号を発信し、該下限２段検出信号を受信した監視装置６は、下限２段警報表示を表示する。この下限２段警報表示を受けて、電気所Ｆの監視員は、下限１段警報表示から下限２段警報表示までにかかった時間を参考に、漏油に対する対策を判断する。
【０１０９】
さらに、ＯＦケーブル線路１３１が漏油し続けると、レベル検出装置５が図９（ｂ）に示すように、最低レベル検出信号を発信し、該最低レベル検出信号を受信した監視装置６は、最低レベル警報表示と遮断器遮断表示を表示すると共に、電気所Ｇの信号転送受信部６４に遮断器ＣＢ３４を開放させるための遮断信号を発信し、電気所Ｈの信号転送受信部６４に遮断器ＣＢ３７を開放させるための遮断信号を発信する。そして、遮断信号を受信した電気所Ｇと電気所Ｈの信号転送受信部６４は、遮断信号を送電線路保護装置７にそれぞれ発信し、遮断信号を受信した電気所Ｇと電気所Ｈの送電線路保護装置７は、遮断器ＣＢ３４、ＣＢ３７を開放し、ＯＦケーブル線路１３１、架空送電線路１３３、需要家Ｃ６が遮断され、停電する。また、架空送電線路１３２から送電される需要家Ｃ７、電気所Ｈは、停電せずに送電を継続させることができる。
【０１１０】
そして、この最低レベル警報表示及び遮断器遮断表示を受けて、電気所Ｆの監視員は、ＯＦケーブル線路１３１が遮断されたことを確認できる。また、漏油の状況を確認している作業員は、安全に作業を行うことができる。
【０１１１】
なお、本発明は、上記実施形態に限定されず、本発明の要旨を逸脱しない範囲で様々な変更が可能である。
【０１１２】
例えば、上記実施形態に係るＯＦケーブル線路監視システムにおいては、ＯＦケーブルを用いたＯＦケーブル線路を例に説明したが、これに限定されるものではなく、前記パイプタイプＯＦケーブルを用いた油入りケーブル線路であってもよい。
【０１１３】
また、上記実施形態に係る油入りケーブル線路監視システムにおいては、前記遮断判定部６２が下限１段検出信号、下限２段検出信号、及び、最低レベル検出信号を同時に受信したときに遮断信号を発信する例を説明したが、これに限定されるものではなく、最低レベル検出信号のみ受信したときに遮断信号を発信するものであってもよい。
【０１１４】
また、上記実施形態に係る油入りケーブル線路監視システムにおいては、監視装置が下限１段検出信号を受信してから下限２段検出信号を受信するまでの時間差と、下限１段レベルと下限２段レベルとの絶縁油レベルの差から、絶縁油レベルの低下速度を予測することができ、この低下速度から絶縁油レベルが最低レベルに至るまでの時間を認識させることができる例を説明したが、これに限定されるものではなく、絶縁油レベルが最低レベルに至るまでの時間である最低レベル到達時間を算出して、表示可能な監視装置であってもよい。
【０１１５】
そこで、前記最低レベル到達時間を算出して、表示可能な監視装置について、図１０を参酌しつつ、説明する。まず、この監視装置６’には、下限１段検出信号が入力されてから下限２段検出信号が入力されるまでの時間を計測可能なタイマーを内蔵した最低レベル到達時間予測部６６を備える。そして、該最低レベル到達時間予測部６６は、タイマーが計測した下限１段検出信号を受信してから下限２段検出信号を受信するまでの時間差をもとに最低レベル到達時間を予測する。具体的には、最低レベル到達時間予測部６６は、下限１段検出信号を受信してから下限２段検出信号を受信するまでの時間差と、下限１段レベルと下限２段レベルとのレベル差とから、絶縁油レベルの低下傾向を算出し、該低下傾向から最低レベルに至るまでの最低レベル到達時間を予測する。
【０１１６】
また、監視装置６’は、上記実施形態に係る状態表示部６５に、さらに、最低レベル到達時間を認識可能なように報知すべく、最低レベル到達時間予測部６６から発信される最低レベル到達時間信号を受信し、最低レベル到達時間を表示するための最低レベル到達時間表示６５ｆを有する状態表示部６５’を電気所Ａに備える。
【０１１７】
従って、監視装置６’は、最低レベル到達時間表示６５ｆから、この油入りケーブル線路の線路遮断に伴う作業、若しくは、この線路遮断を回避するための作業にかかる時間と最低レベル到達時間とを比較して、いずれを行うべきかの判断することができる。
【０１１８】
また、本実施形態に係る油入りケーブル線路監視システムにおいては、監視装置６が遠方（図１０では、電気所Ｂ）の遮断器を開放すべく、遮断判定部６２から入力された遮断信号を転送する信号転送発信部６３と遠方の遮断器を開放する送電線路保護装置に遮断信号を発信する信号転送受信部６４とを備える例を説明したが、遠方の遮断器が設置された電気所などで状態表示を表示するための状態表示部６５’を備える監視装置６’であってもよい。
【０１１９】
そこで、電気所Ｂに設置された状態表示部６５’を備えた監視装置６’について、具体的に、図１０を参酌しつつ、説明する。この監視装置６’は、遮断判定部６２から出力された遮断信号に加え、下限１段検出信号、下限２段検出信号、最低レベル検出信号、及び、最低レベル到達時間予測部６６から出力された最低レベル到達時間信号を遠方に転送する信号転送発信部６３’と、該信号転送発信部６３’が発信した信号を受信する信号転送受信部６４’と、該信号転送受信部６４’が受信した信号、ＯＦケーブル線路を開閉操作する遮断器の遮断状態、及び、最低レベル到達時間表示などの状態表示を表示する状態表示部６５’とを備える。また、状態表示部６５’は、具体的には、前記下限１段警報表示６５ａ、前記下限２段警報表示６５ｂ、前記最低レベル警報表示６５ｃ、前記遮断器遮断表示６５ｅ、及び、前記最低レベル到達時間表示６５ｆを電気所Ｂに表示可能である。なお、図１０では、制御ケーブル異常警報表示６５ｄを電気所Ｂで表示させない例を示したが、これは、制御ケーブル異常警報表示６５ｄが表示されたときに、電気所Ａの方が、制御ケーブルの点検作業を行う上で都合がよいためであったが、必要であれば、状態表示部６５’に表示するようにしてもよい。
【０１２０】
そして、監視装置６’は、信号転送発信部６３’に入力された信号を、信号転送受信部６４’に発信され、電気所Ｂに備えられている状態表示部６５’の下限１段警報表示６５ａ、下限２段警報表示６５ｂ、最低レベル警報表示６５ｃ、遮断器遮断表示６５ｅ、最低レベル到達時間表示６５ｆに信号が入力されて、表示される。
【０１２１】
また、上記実施形態に係る油入りケーブル線路監視システムにおいては、前記状態表示部６５’を遮断器及び負荷開閉器を開放する送電線路保護装置を備える場所に設置する例を説明したが、これに限定されるものではなく、前記信号転送受信部６４’を中央監視センターや各営業所などに設置して、状態表示のみさせるようにしてもよい。
【０１２２】
また、上記実施形態に係る油入りケーブル線路監視システムにおいては、レベル検出装置の接点が絶縁油を貯蔵する油槽に貯蔵された絶縁油レベルである例を説明したが、これに限定されるものではなく、レベル検出装置の一部の接点が直接又は間接的にオン・オフ切り替わる絶縁油レベルは、油槽に貯蔵された絶縁油レベルであり、また、レベル検出装置の一部の接点が直接又は間接的にオン・オフ切り替わる絶縁油レベルより低い絶縁油レベルを直接又は間接的に検出する残りの接点が直接又は間接的にオン・オフ切り替わる絶縁油レベルは、油槽と前記給油管の内部を流通する絶縁油レベルであってもよい。
【０１２３】
また、上記実施形態に係る油入りケーブル線路監視システムにおいては、特定レベルが下限１段レベルＬ１と最低レベルＬ３との間の略中間の絶縁油レベルである下限２段レベルＬ２であり、前記レベル検出装置が下限２段レベルを直接又は間接的に検出するための下限２段検出接点を備える例を説明したが、これに限定されるものではなく、特定レベルは、下限１段レベル及び最低レベル間であれば、どの絶縁油レベルであってもよく、また、１点である必要もなく、レベル検出装置が少なくとも１点の特定レベルを直接又は間接的に検出するための少なくとも１点の特定レベル検出接点を備えていてもよい。
【０１２４】
具体的には、レベル検出装置は、下限１段レベルと、複数ある特定レベルのうち、絶縁油レベルが高い順に、下限２段レベル、下限３段レベル、下限４段レベル、・・・、及び、下限ｎ段レベルの絶縁油レベルを直接又は間接的に検出するための下限１段検出接点、下限２段検出接点、下限３段検出接点、下限４段検出接点、・・・、及び、下限ｎ段検出接点を備える。そして、前記監視装置は、下限１段検出信号と下限２段検出信号とが前記最低レベル到達時間予測部に入力され、前記最低レベル到達時間予測部は、下限１段検出信号と下限２段検出信号とが入力された時間差から、最低レベル到達時間を算出し、状態表示部に表示することができる。さらに、下限３段検出信号が入力されると、下限２段検出信号と下限３段検出信号とが入力された時間差から、最低レベル到達時間を算出しなおして、最低レベル到達時間表示を更新するようにしてもよい。
【０１２５】
また、上記実施形態に係る油入りケーブル線路監視システムにおいては、油入りケーブル線路に必要な絶縁油の最低レベルを油入りケーブルが絶縁破壊する可能性のあるときとする例を説明したが、これに限定されるものではなく、油槽に絶縁油を補給できないときであってもよく、また、絶縁油が前記集積枡若しくは前記防油提の容積を超えて、集積枡若しくは防油提から溢れるときであってもよい。
【０１２６】
また、上記実施形態に係る油入りケーブル線路監視システムにおいては、レベル検出装置が油入りケーブル線路からの漏油による絶縁油レベルの低下速度が予測以上に急激だった場合に対応すべく、最低レベル検出接点を備え、油入りケーブル線路を自動遮断する例を説明したが、これに限定されるものではなく、レベル検出装置には最低レベル検出接点を設けず、下限１段検出信号が表示されてから下限２段検出信号が表示されるまでの時間により、線路遮断を行うべきと判断したときに手動遮断するものであってもよい。
【０１２７】
また、上記実施形態に係る油入りケーブル線路監視システムにおいては、状態表示部が検出信号を受信したときに、警報を表示する例を説明したが、これに限定されるものではなく、状態表示部が検出信号を受信したときに、警報をブザーやベルなどで鳴動させてもよく、例えば、下限１段検出信号、下限２段検出信号、及び、制御ケーブル異常信号を受信したときは、ブザーを鳴動させ、最低レベル検出信号を受信したときは、ベルを鳴動させるようにしてもよい。
【０１２８】
また、上記実施形態に係る油入りケーブル線路監視システムにおいては、監視装置が油入りケーブル線路を遮断する遮断器を開放する送電線路保護装置に対し、これらの遮断器を開放させるための遮断信号を発信する例を説明したが、これに限定されるものではなく、監視装置は、油入りケーブル線路とその他の架空送電線路などの送電ルートの切り替えや、２重化された油入りケーブル線路のうち、健全な油入りケーブル線路への送電ルートの切り替えなどを行うために、遮断器や負荷開閉器を開閉操作させるための制御信号を送電線路保護装置に発信し、遮断器や負荷開閉器を開閉操作させてもよい。
【０１２９】
また、上記実施形態に係る油入りケーブル線路監視システムにおいては、レベル検出装置及び前記監視装置間、また、監視装置及び前記送電線路保護装置間を制御ケーブルでつなぎ、警報信号を発信する方法を例に説明したが、これに限定されるものではなく、光ファイバーでつないで、警報信号を発信してもよく、また、インターネット等や電話回線網、無線通信網に接続して発信してもよい。
【符号の説明】
【０１３０】
１…ＯＦケーブル線路（油入りケーブル線路）、１１…ＯＦケーブル（油入りケーブル）、２…給油装置、３…油槽、４…給油管、５…レベル検出装置、６…監視装置、７…送電線路保護装置、３００…簡易油槽、３０１…油槽本体、３０２…絶縁油、３１０…重力油槽、３１１…油槽本体、３１２…絶縁油、３１４…外油、３２０…圧力油槽、３２１…油槽本体、３２２…絶縁油、３２３…ガス、３３０…外油入り外ガス形圧力油槽、３３１…油槽本体、３３２…絶縁油、３３４…外油、３３５…ガス、３４０…定圧力油槽、３４１…油槽本体、３４２…絶縁油、３４４…ガス圧源、３４５…外油、３４６…ガス、３５０…ベローズ形重力油槽、３５１…油槽本体、３５２…絶縁油、３５３…ベローズ、３６０…ベローズ形圧力油槽、３６１…油槽本体、３６２…絶縁油、３６３…ベローズ、３６４…ガス、Ｌ１…下限１段レベル、Ｌ２…下限２段レベル、Ｌ３…最低レベル。
【図１】
2010279094.tif 000003
【図２】
2010279094.tif 000004
【図３】
2010279094.tif 000005
【図４】
2010279094.tif 000006
【図５】
2010279094.tif 000007
【図６】
2010279094.tif 000008
【図７】
2010279094.tif 000009
【図８】
2010279094.tif 000010
【図９】
2010279094.tif 000011
【図１０】
2010279094.tif 000012